Podtech/llm-jp-corpus-v4-ja_patent huggingface dataset:
(57)【要約】【課題】石詰め護岸の蓋網を格子枠に固定するための使いやすい金具を提供する。【解決手段】蓋網固定用のクリップ１０は、金属製の線材を略中央で逆Ｕの字型に折曲し、両端部をさらに内側にＵの字形に折り返してそれぞれ端部フック１０ａを形成して成り、両フックの間に口１０ｂが開いている。クリップの長径は60mmほどである。これを使うときは、格子枠１の直上に来るように、蓋網に骨線８を通す。そして、骨線共々鋼製パネル５の上縁を両フックの間にあいている口からクリップの中に通す。そして、両端フックをいっしょにして、孔５ａから格子枠の片側に引き出す。【選択図】        図４
2005256548.tif 000002
【特許請求の範囲】
【請求項１】
法面に設置され、中に石塊を詰めた金網または多孔板から成る格子状の枠に、これを覆うように被せた蓋網を該格子枠に固定するためのもので、金属製の線材を略中央で逆Ｕの字型に折曲し、両端部をさらに内側にＵの字形に折り返してそれぞれ端部フックを形成して成り、両フックの間には口が開いている石詰め護岸の蓋網固定用クリップ。
【発明の詳細な説明】
【技術分野】
【０００１】
この発明は石詰め護岸の蓋網を格子枠に固定するための金具に関する。
【背景技術】
【０００２】
図１に示すように格子状の枠１の中に石塊２を詰めて法面を覆うようにした石詰め工法が従来からある。この工法は、コンクリートを使用せず、自然の景観を少なからず残すことができるので今でもよく用いられる。
【０００３】
石を詰める格子枠１は、従来は金網製の箱状の籠３（ふとん籠）をつなぎ合わせて作られていたが（同図（ａ））、石塊を詰めるとき籠が変形しやすいなど、作業性がよくない。そこで同図（ｂ）に示すように、金網を敷いた上に多孔板（鋼製パネル）５を用いて格子枠１を組み立てる方法も開発されている（実公平７−４３１５２号公報）。
【０００４】
（ａ）（ｂ）いずれのものも、石塊２が流出しないように、上に蓋網６を被せ、格子枠に固定する。その固定には、従来、図１に示すようなコイルばね７を用い、これを回して押し進めるようにして、コイルの先端を網目や多孔板の孔に順次通して縫い合わせるようにしていた。この方法では、コイルばねを回す人と、ばねの先端を網目や孔に誘導する人の２人掛かりの作業になり能率が悪い。また、格子枠の中に石塊が詰め込んであるので、石塊に邪魔されてコイルばねの前進がたびたび阻まれ、作業がはかどらないという問題がある。
【発明の開示】
【発明が解決しようとする課題】
【０００５】
この発明は、コイルばねに代わる、石詰め護岸の蓋網を格子枠に固定するための使いやすい金具を提供する課題とする。
【課題を解決するための手段】
【０００６】
この発明の石詰め護岸の蓋網固定用クリップは、法面に設置され、中に石塊を詰めた金網または多孔板から成る格子状の枠に、これを覆うように被せた蓋網を該格子枠に固定するためのもので、金属製の線材を略中央で逆Ｕの字型に折曲し、両端部をさらに内側にＵの字形に折り返してそれぞれ端部フックを形成して成り、両フックの間には口が開いている。
【０００７】
このクリップを使って蓋網を格子枠に固定するには、蓋網に通した骨線といっしょに格子枠の上縁を両端フックの間からクリップの中に通し、次いで両端フックをいっしょにして、格子枠の孔（格子枠が金網の場合は網目、多孔板の場合はあいている孔）から格子枠の片側に引き出す。このようにクリップがかかった状態で蓋網が下から突き上げられ場合、クリップの端部フックは孔の縁に引っかかって孔を通過できないので、クリップが上に抜け出ることはない。
【０００８】
このように、蓋網を格子枠にクリップで一定間隔ごとに固定することにより、詰め石の流失を抑えることができる。注目すべきは、従来のようにコイルばねを回しながらこれを推し進めて蓋網と格子枠を縫い合わせるのと違って、一定間隔ごとにクリップを掛けていくだけなので、作業が簡単であり、一人で作業ができるので能率がよい。クリップをかけるとき、詰め石が邪魔になることがあるが、コイルはねの場合と異なり、クリップを掛けようとしてしている網目（または多孔板の孔）を塞いでいる石だけをどければよいので手間はほとんどかからない。
【発明を実施するための最良の形態】
【０００９】
蓋網固定用のクリップ１０は、図２に示すように、金属製の線材を略中央で逆Ｕの字型に折曲し、両端部をさらに内側にＵの字形に折り返してそれぞれ端部フック１０ａを形成して成り、両フックの間に口１０ｂが開いている。クリップの長径は60mmほどであるが、これに限定されない。クリップには防錆メッキを施す。
【００１０】
このクリップ１０を使って、蓋網を鋼製パネル製の格子枠に固定した状態を図３および図４に示す。鋼製パネル５には長円形の孔５ａが縦横にあいており、そのうちの最上段の列の孔を利用してクリップをかける。図４に示すように、格子枠１の直上に来るように、蓋網６に骨線（鋼線）８を通す。そして、図４に状態Ａで示すように、骨線８共々、鋼製パネル５の上縁を両端部フック１０ａの間の口１０ｂからクリップ１０の中に通す。なお、クリップの口１０ｂは、骨線８等が通過できるだけの大きさがあればよく、必要以上に大きくしないことが好ましい。次いで、状態Ｂに示すように、両端部フック１０ａをいっしょにして、同じ孔５ａから鋼製パネルの片側に引き出す。こうすると、クリップが骨線８から吊り下がる格好になり、クリップの中央が逆Ｕの字に折曲しているので、今まで骨線に平行であったクリップが少し向きを変える。このＢ状態では、蓋網６が上に突き上げられた場合、端部フック１０ａが引っかかって孔５ａを通ることができないので、クリップが鋼製パネル５から外れることはない。
【００１１】
こうして、図３に示すように、鋼製パネル５の孔にクリップを順次掛けて行く。クリップとクリップの間隔は150mmくらいが好ましいが、これに限定されものではない。
【００１２】
図５は、格子枠１が金網（ふとん籠）３でできている場合である。この場合も、クリップの掛け方は前とほとんど同じであり、骨線８共々、ふとん籠３の側線３ａを両フック１０ａの間の口１０ｂからクリップ１０の中に通し、両フックをいっしょにして、網目から金網の片側に引き出すようにする。
【００１３】
このように、クリップをかける作業はごく簡単であり、蓋網の固定作業を低コストで行うことができる。
【図面の簡単な説明】
【００１４】
【図１】従来の石詰護岸の斜視図である。
【図２】蓋網固定用のクリップの正面および側面図である。
【図３】鋼製パネル製の格子枠に蓋網を留めた状態を示す横断面図である。
【図４】同じく斜視図である。
【図５】ふとん籠から成る格子枠に蓋網を留めた状態を示す横断面図である。
【符号の説明】
【００１５】
１  格子枠
２  石塊
３  ふとん籠
５  鋼製パネル
５ａ  孔
６  蓋網
７  コイルばね
８  骨線
１０  クリップ
１０ａ  フック
１０ｂ  口
【図１】
2005256548.tif 000003
【図２】
2005256548.tif 000004
【図３】
2005256548.tif 000005
【図４】
2005256548.tif 000006
【図５】
2005256548.tif 000007
(57)【要約】【課題】円管の開口部補強で補強部材を溶接することなく接合して、なお補強部材長を円管開口部長より長くすることで応力集中を低下すること可能とする。【解決手段】開口部のある円管部分の外側あるいは内側に、開口部の円管断面欠損分と同等もしくはそれ以上の断面積を有する、開口部のある補強円管を嵌合した構造の隙間に充填材を注入、硬化して結合一体化した円管開口部構造体とする。【選択図】図１
2005256587.tif 000002
【特許請求の範囲】
【請求項１】
開口部のある円管部分の外側あるいは内側に、開口部の円管断面欠損分と同等もしくはそれ以上の断面積を有する開口部のある補強円管を嵌合した構造の隙間に充填材を注入、硬化して結合一体化したことを特徴とする円管開口部構造体。
【請求項２】
補強円管長は少なくとも円管開口部長より円管径分長い請求項１に記載した円管開口部構造体。
【発明の詳細な説明】
【技術分野】
【０００１】  この発明は、照明柱、信号柱、標識柱等の各種ポールの円管開口部構造体の改良に関するものである。
【背景技術】
【０００２】  従来の円管開口部構造体の補強方法には、開口部内部に弾性変形する金属板を挿入してその固定に金属板の一部を溶接するものがある（例えば、特許文献１参照）。【０００３】
【特許文献１】特開平６−１３６９９４号公報
【発明の開示】
【発明が解決しようとする課題】
【０００４】  円管開口部構造体は外力がかかると、開口部の円管断面欠損部に応力集中がおき、そのため開口部構造の一部に補強部材を設けることは、応力伝達の妨げになることがある。また、円管と補強部材の固定に溶接を施すことで、溶接によりその部分の疲労強度低下を及ぼすことになる。【０００５】  この発明は補強部材を溶接することなく接合して、なお補強部材長を円管開口部長より長くすることで応力集中を低下することを課題とする。
【課題を解決するための手段】
【０００６】  この発明は開口部のある円管部分の外側あるいは内側に、開口部の円管断面欠損分と同等もしくはそれ以上の断面積を有する、開口部のある補強円管を嵌合した構造の隙間に充填材を注入、硬化して結合一体化した円管開口部構造体とする。
【発明の効果】
【０００７】  この発明は開口部のある円管部分と開口部のある補強円管に充填材を注入、硬化して結合一体化して溶接をなくしたために溶接による疲労強度低下がない。また、補強円管長を開口部長より長く設置することで外力に対する応力集中を低下させ、応力伝達を容易にさせる。
【発明を実施するための最良の形態】
【０００８】  この発明の実施形態について図面を参照して説明する。図１は高架道路に設置された照明柱に適用した場合の開口部周辺を示している。支持柱円管１は補強円管２を嵌合して構成され、その隙間に樹脂系充填材３を注入して硬化一体化する。【０００９】  補強円管２は支持柱円管１の開口部長より少なくとも円管径の長さ分長いを嵌合長を持つことで良好な応力伝達を得る。
【図面の簡単な説明】
【００１０】
【図１】この発明の一実施形態を示す構成図
【図２】Ａは図１の水平断面図，Ｂは図１の垂直断面図
【図３】従来の開口部補強の構成図
【符号の説明】
【００１１】  １  支持柱円管、  ２  補強円管、  ３  充填材
【図１】
2005256587.tif 000003
【図２】
2005256587.tif 000004
【図３】
2005256587.tif 000005
(57)【要約】      （修正有）【課題】どんな道路状況においても使用できる、バリケードを提供する。【解決手段】重し１，１'，１''，１'''に穴２をあけ、バリケード４の足３を差し込む。重し１，１'，１''，１'''の向きを変えることによってバリケードをどんな向きにも変えることができ、重し１，１'，１''，１'''の方向によって直角に曲がった角においても、曲りの強いカーブにおいても自由に設置できる。【選択図】図４
2005256585.tif 000002
【特許請求の範囲】
【請求項１】
重し（１）に、（２）の穴をあけ（３）を（２）の穴に差し込んだものである。
【発明の詳細な説明】
【考案の詳細な説明】
【産業上の利用分野】
【０００１】      この考案は、工事用現場などにある、バリケードの改良したものである
【背景技術】
【０００２】      従来のものは、足の部分が、開いた状態いで固定されていたので、一方方向にしか使用できなかった。
【考案の解決しようとする課題】
【０００３】      足の固定したバリケードでは、一方方向に向いてのみ使用できるが、本考案のバリケードを使用すれば、限りなく３６０度に近いところまで、使用できる。
【課題を解決するための手段】
【０００４】      図４の、重し（１）、（１）、（１）、（１）、のように、重しの向きをかえることによって、バリケード（４）の（３）の部分を（２）の中に入れることによって、自由に向きおかえることが出来る。
【作用】
【０００５】    本考案を、使用するとバリケード（４）の（３）の部分を、（２）の穴に入れ、重し（１）、（１′）、（１′′）、（１′′′）、の方向によって、バリケード（４）の向きを自由に設定できる。又、重し（１）は、図１、図２、で見ると正方形になっているが、バリケードを使う場所にあわせて、重し（１）に丸みをつけたり色を塗るとよい。
【発明を実施するための最良の形態】
【０００６】    図４の実施図のように、重し（１）、（１′）、（１′′）、（１′′′）、の方向によって、直角に曲がった角においても、曲がりの強いカーブにおいても、自由に設置できる。
【発明の効果】
【０００７】    図４でわかるように、どんな状態の場所においても、対応の出来るバリケードある。図３のように、すっきりして場所をとらない利点もある。
【図面の簡単な説明】
【図１】      本発明の正面図
【図２】      本発明の平面図
【図３】      バリケード
【図４】      本発明の実施図
【符号の説明】
（１）、（１′）、（１′′）、（１′′′）、は、重し、（２）は、穴、（３）は、バリケードの足、（４）は、バリケード全体を示す、
【図１】
2005256585.tif 000003
【図２】
2005256585.tif 000004
【図３】
2005256585.tif 000005
【図４】
2005256585.tif 000006
(57)【要約】【課題】    本発明は、建物を早く作り上げることによって、コストを安く抑えることを、目的とした工法である。【解決手段】    柱（１）に、（２）を削り取り、（３）に溝を上から下の部分まで造り、板（４）（４′）、板（５）（５′）、を差し込んで目的を達成するものである。【選択図】      図２
2005256584.tif 000002
【特許請求の範囲】
【請求項１】
柱（１）の（２）の部分を削り取り、柱（１）の（３）の部分を、上から下まで溝になるように、削りとったものである。
【発明の詳細な説明】
【考案の詳細な説明】
【産業上の利用分野】
【０００１】      この考案は、家の建築において、コストの削減、仕上げのスピード化を図ったものである。
【背景技術】
【０００２】      従来のものは、幅の狭い板を、１枚１枚釘で打ち付けていたので、時間がかかり、コストもかかっていた。
【考案の解決しようとする課題】
【０００３】      従来のものは、幅の狭い板を、１枚１枚釘を使って打てつけていたので時間がかかり、コスト高になっていた。これを簡単に作業できるように、考案されたものである。
【課題を解決するための手段】
【０００４】      柱（１）に（２）の部分を切り取り、柱（１）の（３）の部分を、上から下まで溝を掘るものである。
【作用】
【０００５】      本考案を使用すると、柱（１）の（２）の部分を切り取り、柱（１）の（３）の溝の部分に、（５）の横板を、落とし込んでいく、途中に窓を取り付けるための台として、（４）の横板を、溝（３）の部分に差し込み、その上に窓用のサッシをはめ込む、その上に又、（５）の横板を上部がふさがるまで、差しこむものである。又、床や屋根にも同じ工法を用いることが出来る。
【発明を実施するための最良の形態】
【０００６】      本発明を利用すれば、建前が終わり、柱（１）の部分の上部が、別の柱に押さえられたとしても、（２）の部分の切り取ったところから、（３）の溝に板を落としこんでいくことによって、壁を板（５）で張ることが出来る。
【発明の効果】
【０００７】      柱（１）の（２）の部分を切り取り、（３）の溝を使って（５）の横板を差し込むことによって、簡単に仕上がり、時間の短縮、及び、コストの削減につながる。
【図面の簡単な説明】
【図１】      本発明の平面図
【図２】      本発明の正面図
【図３】      横板の（４）は平面図、（４′）は正面図。
【図４】      横板の（５）は平面図、（５′）は正面図。
【符号の説明】
（１）は柱、（２）は削り取った部分、（３）は溝、
（４）、（４′）、は横板、（５）、（５′）、も横板
【図１】
2005256584.tif 000003
【図２】
2005256584.tif 000004
【図３】
2005256584.tif 000005
【図４】
2005256584.tif 000006
(57)【要約】      （修正有）【課題】救急車や警察あるいは消防車を呼んだ時、または住宅の外部から異常を発見した時、住宅の施錠のため入室出来ないような場合の解決手段を提供する。【解決手段】住宅の住人と管理会社の間で、合鍵の保管と管理、合鍵保管箱の設置、合鍵使用許諾ならびに入室許可の契約を行うことにより、救急車要員や警察官、消防署員などと管理会社の担当者が管理会社に合鍵保管箱の鍵を開けるよう要請し、管理会社が身分を確認した上で、管理会社が無線による指示を出して合鍵保管箱の鍵を開けるか、またはその担当者が合鍵保管箱を開けて合鍵を取り出して住宅の施錠を解錠し、建物に立ち入ることを可能にする。【選択図】なし【特許請求の範囲】
【請求項１】
住宅の施錠を、その住宅の住人と第三者の間で、事前に、その住宅の合鍵の第三者による保管と管理を認め、そのための合鍵保管管理箱をその住宅の外部敷地内に設置することを許諾し、その合鍵の第三者による使用を認める合鍵使用許諾ならびに入室を認める入室許可の契約を交わしておき、その旨を第三者が認識できる場所に表示しておくとともに第三者が合鍵保管管理箱を設置しておくことにより、第三者がその合鍵を使用して、その住宅の施錠を解錠し入室することを可能にする、合鍵保管管理システム
【発明の詳細な説明】
【発明の詳細な説明】
【技術分野】
【００１】この発明は、住宅の施錠を、その住宅の住人と第三者の間で交わされた、第三者による合鍵の保管管理の許諾、その合鍵使用許諾ならびに入室許可の表示、及び第三者による合鍵保管管理箱の設置により、第三者がその合鍵を使用して、その住宅の施錠を解錠し入室することを可能にする、合鍵保管管理システムに関するものである。
【背景技術】
【００２】持ち家の場合、合鍵は、家族全員が持つ他には、玄関脇など他人に分からないように置くなどの方法がとられている。一方、携帯電話による手荷物預かりのロッカーの解錠や玄関の鍵の解錠が既に実用化されている。警備保障会社による不法侵入などの緊急対応の手段も既に実用化されている。
【発明が解決しようとする課題】
【００３】寝たきりの人や急病人が、他に面倒を診てくれる人が居なくて、救急車や警察を呼んだ時、または外部から異常を発見して警察官や消防署員が中に入ろうとした時に、住宅に施錠してあって誰にも開けられない事態が発生することがある。このような緊急事態に早急かつ安全に住宅の鍵を解錠しようとするものである。
【課題を解決するための手段】
【００４】本発明では、住宅の住人と第三者の間で、事前に、その住宅の合鍵の第三者による保管と管理を認め、そのための無線制御による解錠手段を有する合鍵保管管理箱（以下保管箱と称する）をその住宅外部敷地内に設置することを許諾し、その合鍵の第三者による使用を認める合鍵使用許諾ならびに入室を認める入室許可の契約を交わしておき、その旨を第三者が認識できる場所に表示しておき、第三者が保管箱を設置しておく。緊急時には救急車要員あるいは警察官と保管箱の管理を行う管理会社（以下管理会社と称する）の担当者が住宅に駆けつけ、保管箱の鍵を開けるよう管理会社に携帯電話などで要請する。要請を受けた管理会社は、パスワードなどから正当な関係者からの要請であることを確認し、保管箱の鍵を開ける指示を保管箱に無線で送り、保管箱の鍵を開け、合鍵を取り出しを可能にする。ただし管理会社の担当者に保管箱の鍵を開ける権限を全面的に委譲する場合は無線遠隔制御解錠機構はなくてもよい。
【発明を実施するための最良の形態】
【００５】以下、本発明の実施の形態について説明する。
合鍵１の保管箱２は、住人との契約に基づいて管理会社３が設置する。住人が救急車や警察を呼ぶなどの緊急時には、管理会社との連携により、駆けつけた救急車要員または警察官の立ち会いのもとに管理会社の担当者が、保管箱を開けるよう携帯電話４などで管理会社３に要請する。管理会社はパスワード等により身分を確認の上、必要な場合は保管箱の秘匿場所の画像表示を送り、解錠信号を保管箱に送信して無線遠隔制御解錠機構５により鍵を開ける。救急車要員または警察官が合鍵使用許諾と入室許可表示６を確認し、取り出した合鍵で往宅の鍵を解錠する。住人との契約により管理会社の担当者が合鍵を使用して入室することもできる。もし管理会社の担当者の到着が遅れた場合は、救急車要員または警察官が管理会社に要請し、身分が確認が確認できれば、管理箱の解錠を可能にすることができる。要請から入室、合鍵の返却まで、電話番号と使用日時、パスワード、管理箱開閉の時間など必要な情報は全て管理会社が記録保管し、後日に備える。一定時間を超えた管理箱の開放放置や合鍵の無返還あるいは不法解錠は警報装置７が作動する。不法解錠など所轄の警察に自動的に通報するための異常時通報装置を備えることも出来る。合鍵使用許諾と入室許可表示は関係者以外に知られないために目立たないよう管理箱の外部に表示するかあるいは住宅に表示してもよい。保管箱に無線遠隔制御解錠機構を備えない場合、管理会社は、合鍵を使用しようとする第三者の身分確認の手続と第三者に作業の経過連絡を求め記録する。
【発明の効果】
合鍵の保管を、住人の希望と、中立かつ安全な第三者に委託することにより、自治体、あるいは中立的立場にある企業体による合法的な立ち入りが可能となる。これにより自治体による要介護者宅の訪問や警察による巡回立ち入り訪問、さらには警備保障会社による安全保証のための立ち入り巡回などを実現させることができる。結果として、生命の危機に早めに対処することが出来、また、社会の片隅で誰にも看取られずに孤独な死を迎える悲劇を少なくすることが出来る。
【図面の簡単な説明】
【図１】  本発明の全体を示すブロックダイアグラムである。
【図２】  本発明の保管箱の図面である。
【符号の説明】
１合鍵
２無線解錠装置を備えた合鍵保管管理箱
３管理会社（保管箱の解錠要請受信装置及び保管箱解錠指示送信装置）
４救急者要員または警察官と管理会社担当者の携帯電話
５管理会社からの管理箱の解錠指示受信装置と解錠機構及び異常時通報装置
６合鍵使用許諾ならびに入室許可表示
７警報装置（管理箱の扉開放放置、合鍵使用後不返還、扉の不法開放など）
【図１】
2005256581.tif 000002
【図２】
2005256581.tif 000003
(57)【要約】【課題】従来の丁番ではドアノブと壁の接触を防ぐ為、別に加工等が必要になっていた。更に開いた状態を保持する事が出来ず、ドアストッパー等を、利用しなくてならなかった。【解決手段】丁番両側に、開閉角度に対応した突起を設け、更に片側にマグネットを設けた。【選択図】図１
2005256583.tif 000002
【特許請求の範囲】
【請求項１】
丁番部分に、扉の開閉角度に合わせた突起とマグネットを設け、任意の開閉角度で扉が止まる。
更にマグネットによる磁力で扉を開いた状態で保持する。
上記二つの機能を兼ね備えたもの。
【請求項２】
前記マグネットと突起は丁番一体型と、従来の物に後から取り付ける事の出来る後付け式がある。
【発明の詳細な説明】
【技術分野】
【０００１】この発明は、扉取り付けに用いる丁番の形状に関する。
【背景技術】
【０００２】従来の扉取り付けに用いる丁番は、図４に示すように１８０度以上開いてしまう物である。
【発明の開示】
【発明が解決しようとする課題】
【０００３】その為従来の仕組みでは、扉開時にドアノブで壁などを傷つけたりする為床や扉に、開止めの器具を取り付けなくてはならなかった。
更に、扉開保持には、ドアストッパー等を利用しなくてはならない。
そこで、この発明は、開き止めと開保持、両方を合わせ待った、機能を課題とする。
【課題を解決するための手段】
【０００４】以上の課題を解決するために、第一発明は、丁番部に開閉角度に合わせた突起とマグネットを設けた。
また、第二発明は、丁番一体型の他に、従来品に突起とマグネットを、後から取り付ける事の出来る物である。
【発明の効果】
【０００５】第一発明、または第二発明によれば、突起を取り付ける事により、扉が任意の角度以上に開かなくなり、片側に設けたマグネットの磁力で突起を保持し、開いた状態を維持できる。
【発明を実施するための最良の形態】
【０００６】この発明の一実施形態を、図１、図２に示す。
図１は９０度開閉に対応した物である、扉が９０度開いて止まる様▲１▼▲２▼の突起を設け▲１▼の側をマグネットにした。
図２は１８０度開閉に対応した物である、扉が１８０度開いて止まる様▲１▼▲２▼の突起を設け▲１▼の側をマグネットにした。【０００７】図１、図２共に機能は同じだが、▲１▼の突起の形状（高さ）で開閉角度を変えている。
図１、図２共にＡは閉じた状態、Ｂは開いた状態をマグネットが保持している。【０００８】「実施形態の効果」
この実施形態によれば、図１、図２共に扉を開いた時、▲１▼と▲２▼が接触し、任意の角度で扉が止まるようになる。
更に▲１▼側のマグネットによる磁力で▲２▼を保持し、扉を開いた状態で固定する事が出来る。
これによりドアノブから壁を保護する為に、床や扉に加工するドア止め、扉を開いた状態で保持する為のドアストッパー等が不要になる。【０００９】「他の実施形態」
図１、図２の実施形態では、丁番一体型だが、他の実施形態では、図３のように丁番周りに▲１▼と▲２▼を、ネジで取り付ける事も出来る。
これにより、すでに使われている従来品にも対応する事が出来る。
図３、Ａは閉じた状態、Ｂは開いた状態。【００１０】図１、図２では広く使われている、９０度と１８０度、開閉に対応した物だが他の実施形態では、扉の取り付け位置、ドアノブの形状を考え、８５度、１７５度の角度で開閉するよう、突起部の形状（高さ）を変えた物で対応する事が出来る。
【図面の簡単な説明】
【００１１】
【図１】この発明の一実施形態を示す斜視図である。
【図２】この発明の一実施形態を示す斜視図である。
【図３】この発明の、他の実施形態を示す斜視図である。
【図４】従来技術を示す斜視図である。
【符号の説明】
【００１２】  Ａ  閉じた状態                Ｂ  開いた状態
▲１▼  突起（マグネット）    ▲２▼  突起
【図１】
2005256583.tif 000003
【図２】
2005256583.tif 000004
【図３】
2005256583.tif 000005
【図４】
2005256583.tif 000006
(57)【要約】【課題】軒先水切りと破風水切りの形態保持用の下地を必要に応じて簡略化ないしは省略することができる軒先構造及び水切り材を提供する。【解決手段】軒先水切り部分５と破風水切り部分６とを含む一体品からなる水切り材３が軒先部分に取り付けられている。【選択図】      図１
2005256504.tif 000002
【特許請求の範囲】
【請求項１】
軒先水切りと破風水切りとが、それらの部分を含む一体品からなっていることを特徴とする軒先構造。
【請求項２】
軒先水切り部分と破風水切り部分とを含む一体品からなることを特徴とする水切り材。
【発明の詳細な説明】
【技術分野】
【０００１】
本発明は、軒先構造及び水切り材に関する。
【背景技術】
【０００２】
家屋の軒先部には、従来より、図３に示すように、防腐処理木材からなる広小舞５１と破風下地５２が取り付けられ、広小舞５１には仕上げ材として軒先水切り５３が取り付けられ、破風下地５２には同じく仕上げ材として破風水切り５４が取り付けられている。なお、５５は垂木、５６は野地板である。
【発明の開示】
【発明が解決しようとする課題】
【０００３】
しかしながら、軒先水切り５３や破風水切り５４はそれぞれ、それらの形態的な制約から、それら単独では強度的に弱く、自ら形態を保持する力に欠けており、そのため、軒先には、これら水切り５３，５４をそれらの形態が保持されるように裏から支える下地で必須であり、そのため、これらの形態保持用の下地として、上記のような木からなる広小舞５１や破風下地５２をわざわざ備えさせなければならないという問題があった。
【０００４】
本発明は、上記のような問題点に鑑み、軒先水切りと破風水切りの形態保持用の下地を必要に応じて簡略化ないしは省略することができる軒先構造及び水切り材を提供することを課題とする。
【課題を解決するための手段】
【０００５】
上記の課題は、軒先水切りと破風水切りとが、それらの部分を含む一体品からなっていることを特徴とする軒先構造、並びに、軒先水切り部分と破風水切り部分とを含む一体品からなることを特徴とする水切り材、によって解決される。
【０００６】
上記の軒先構造及び水切り材では、軒先水切りの形態部分と破風水切りの形態部分とが一体品のなかに含まれることによって、それらの部分を含む一体品が強度的に強いものになり、自ら形態保持性を発揮できるようになる。そのため、水切り一体品は自らその形態を保持しやすくなって、軒先には、該一体品を取り付けるための下地があればよく、軒先水切りと破風水切りの形態を保持する下地を必要に応じて簡略化ないしは省略することができる。
【０００７】
なお、「一体品」の語は、本発明の趣旨から明らかなように、軒先水切りの形態部分と破風水切りの形態部分とが協働することで、自らの形態保持性が高められているような構造となっているものを指す。一体品の形態保持性は、軒先水切り部分のみ高められていてもよいし、破風水切り部分のみ高められていてもよいし、両方の部分がともに高められていてもよい。
【発明の効果】
【０００８】
本発明は、以上のとおりのものであるから、軒先水切りと破風水切りの形態を保持する下地を必要に応じて簡略化ないしは省略することができる。また、軒先水切りと破風水切りとが一体化されることや、形態保持用下地の簡略化ないしは省略によって、部材点数や部品点数の減少、省力化、コストダウンを実現することができる。
【発明を実施するための最良の形態】
【０００９】
次に、本発明の実施最良形態を図面に基づいて説明する。
【００１０】
図１に示す第１実施形態の軒先構造において、１は垂木、２は野地板、３は水切り材であり、従来のような木製広小舞や木製破風下地は軒先から省略されている。なお、４は傾斜した軒天である。
【００１１】
水切り材３は、軒先水切り部分５と破風水切り部分６とを含む鋼などの金属製の板曲げ一体成形品からなっていて、軒先水切り部分５が野地板２の上面側、あるいは、図示しないが、瓦桟固定用の下地の上面側に重ねられてビス打ち７等で止め付けられると共に、破風水切り部分６がその背面側の取付け用の下地金物８を介して垂木１の先端部にビス打ち７等で止め付けられて、軒先に取り付けられている。なお、下地金物８には、破風水切り部分６の補強の役割も備えられている。
【００１２】
上記の軒先構造では、軒先水切りの形態部分５と破風水切りの形態部分６とが一体品である水切り材３のなかに含まれているので、それらの部分５，６を含む水切り材３は、剛性の高い形態になることができて、強度的に強いものになり、形態保持用の下地に多くを頼らずとも自ら形態を保持することができるようになり、そのため、軒先には、一体成形品からなるこの水切り材３を取り付けるための下地があればよく、垂木１や野地板２等を取付けの下地とすることができ、形態を保持するための、従来のような木製広小舞や木製破風下地を軒先から省略することができる。
【００１３】
図２（イ）に示す第２実施形態の軒先構造は、軒天４が水平になっている軒先構造に適用した場合のものであり、他は、第１実施形態と同様である。
【００１４】
図２（ロ）に示す第３実施形態の軒先構造は、野地板２を、水切り材３の軒先水切り部分５の先端部まで延長させ、軒先水切り部分５の上板部５ａを野地板２で下から支えて軒先水切り部分５を補強するようになされたものである。野地板２の延長によって、部材数ないしは部品数を増加することなく、水切り材３を補強することができる。
【００１５】
また、第３実施形態では、垂木１が軒先側に延長されて、その先端部が破風水切り部分６の垂直板部６ａのすぐ背後に位置し、破風水切り部分６が該垂木１の先端部に直接止め付けられており、第１実施形態におけるような下地金物８が省略されている。
【００１６】
以上に、本発明の実施形態を示したが、本発明はこれに限られるものではなく、発明思想を逸脱しない範囲で各種の変更が可能である。例えば、上記の実施形態では、水切り材３が、金属の板曲げ加工による一体成形品からなる場合を示したが、水切り材は、金属に限らないし、金属と樹脂の複合材からなっていてもよいし、樹脂材からなっていてもよく、また、水切り材３は、その他の加工法による一体成形品であってもよいし、軒先水切り部分と破風水切り部分とを接合して一体化させた一体品からなるものであってもよい。また、水切り材３の下地して、従来のような広小舞や破風下地が備えられていてもよい。
【図面の簡単な説明】
【００１７】
【図１】第１実施形態の軒先構造を示すもので、図（イ）は断面側面図、図（ロ）は水切りの斜視図である。
【図２】図（イ）は第２実施形態の軒先構造を示す断面側面図、図（ロ）は第３実施形態の軒先構造を示す断面側面図である。
【図３】従来の軒先構造を示す断面側面図である。
【符号の説明】
【００１８】
３…水切り材
５…軒先水切り部分
６…破風水切り部分
【図１】
2005256504.tif 000003
【図２】
2005256504.tif 000004
【図３】
2005256504.tif 000005
(57)【要約】【課題】窯業系等の外壁面材において目地空間部分の斜面部と端面部との境界部分に欠けを生じている場合であっても、外壁の意匠性を損わせない外壁面材間の目地部構造を提供する。【解決手段】斜面部５と端面部３との境界部Ｂが、目地空間部２に嵌め込まれたガスケット６で隠されている。斜面部３は、端面部５の側に段を備えない段無し斜面部からなっているとよい。【選択図】      図１
2005256507.tif 000002
【特許請求の範囲】
【請求項１】
目地空間部を挟んで隣り合う外壁面材の屋外側の面部と、目地空間部内に面する端面部との間が面取りされて斜面部に形成され、
該斜面部と前記端面部との境界部が、前記目地空間部に嵌め込まれたガスケットで隠されていることを特徴とする外壁面材間の目地部構造。
【請求項２】
前記斜面部が、前記端面部の側に段を備えない段無し斜面部からなる請求項１に記載の外壁面材間の目地部構造。
【発明の詳細な説明】
【技術分野】
【０００１】
本発明は、外壁面材間の目地部構造に関する。
【背景技術】
【０００２】
窯業系などの外壁面材間の目地部にガスケットを嵌め込んで止水することは従来より行われている。そのような外壁面材間の目地部構造として、図２に示すように、外壁面材５１の屋外側の面部５２と、目地空間部５３内に面する端面部５４との間に、段５５付きの斜面部５６が形成され、ガスケット５７が、その屋外側部分を段５５の位置に一致させるようにして、目地空間部５３内に嵌め込まれているものが提供されている。
【発明の開示】
【発明が解決しようとする課題】
【０００３】
しかしながら、上記の目地部構造には次のような問題点がある。即ち、窯業系などの外壁面材５１において、上記の斜面部５６と、目地空間部５３内に面する端面部５４との境界部分Ａは、外壁面材５１の運搬等の過程において欠けを生じやすい部分であり、そのため、ガスケット５７を上記のような態様で目地空間部５３内に嵌め込んだ場合において、上記の境界部分Ａに欠けを生じていると、その欠けが屋外側に露出してしまい、外壁の意匠性を損ねてしまうことがある。特に、領域Ａにおいて、外壁面材５１の端面部５４と段５５との境界部分は欠けを生じやすい部分である。
【０００４】
本発明は、上記のような問題点に鑑み、斜面部と、目地空間部内に面する端面部との境界部分に欠けを生じている場合であっても、外壁の意匠性を損わせない外壁面材間の目地部構造を提供することを課題とする。
【課題を解決するための手段】
【０００５】
上記の課題は、目地空間部を挟んで隣り合う外壁面材の屋外側の面部と、目地空間部内に面する端面部との間が面取りされて斜面部に形成され、
該斜面部と前記端面部との境界部が、前記目地空間部に嵌め込まれたガスケットで隠されていることを特徴とする外壁面材間の目地部構造によって解決される。
【０００６】
この構造では、斜面部と端面部との境界部が、該目地空間部に嵌め込まれたガスケットで隠されているので、この境界部分に欠けを生じている場合であっても、ガスケットがそれを隠し、外壁の意匠性を損わせない。
【０００７】
上記の構造において、斜面部が、端面部の側に段を備えない段無し斜面部からなる場合は、上記の境界部分に欠けを生じる危険性を低くすることができると共に、仮に欠けを生じている場合であっても、ガスケットがそれを隠し、外壁の意匠性を損わせない。しかも、従来のような段も無く、また、斜面部の一部又は全部がガスケットで隠されることで、ガスケットの嵌め込まれた目地部を目立ちにくいスッキリした外観にすることも必要に応じて可能となる。
【発明の効果】
【０００８】
本発明の外壁面材間の目地部構造は、以上のとおりのものであるから、斜面部と、目地空間部内に面する端面部との境界部分に欠けを生じている場合であっても、外壁の意匠性を損わせない。
【発明を実施するための最良の形態】
【０００９】
次に、本発明の実施最良形態を図面に基づいて説明する。
【００１０】
図１に示す実施形態の外壁面材間目地部構造において、１，１は窯業系の外壁面材であり、各外壁面材１は、それらの間の目地空間部２内に面する端面部３と、屋外側の面部４との間が面取りされて斜面部５に形成され、該斜面部５は、上記の端面部３との間に段を備えない段無し斜面部からなっている。なお、７は、外壁面材１の下地である。
【００１１】
そして、上記の目地空間部２にはガスケット６が嵌め込まれ、ガスケット６は、その屋外側部分６ａが斜面部５の傾斜方向中間部位置まで該斜面部５に沿うようにして張り出し、外壁面材１の斜面部５と端面部３との境界部分Ｂがガスケット６の屋外側部分６ａによって隠されている。
【００１２】
上記の構造では、各外壁面材１における斜面部５と端面部３との境界部分Ｂが、ガスケット６で隠されているので、この境界部分Ｂに欠けを生じている場合であっても、ガスケット６がそれを隠し、外壁の意匠性を損わせることがない。
【００１３】
しかも、斜面部５が端面部３側に段の無い段無し斜面部からなっているので、上記の境界部分Ｂに欠けを生じる危険性が低く、仮に欠けを生じている場合であってもガスケット６がそれを隠すことで、外壁の意匠性を損わせることがない。
【００１４】
加えて、図１（ロ）と図２（ロ）とを比較すれば明らかなように、斜面部５を段無しに、斜面部５と端面部３との境界部分Ｂをガスケット６で隠す構造にすることで、ガスケット６の嵌め込まれた目地部を目立ちにくいスッキリした外観にすることができる。
【００１５】
以上に、本発明の実施形態を示したが、本発明はこれに限られるものではなく、発明思想を逸脱しない範囲で各種の変更が可能である。例えば、上記の実施形態では、斜面部５が、端面部３との間に段を備えない段無し斜面部からなる場合を示しているが、斜面部５と端面部３との間はガスケット６で隠される部分であるので、その部分の形態に制限はなく、段の有無を問わず、種々の形態をしていてよい。
【００１６】
また、上記の実施形態では、外壁面材が窯業系の外壁面材からなる場合を示しているが、要は、本発明が問題としているような欠けを生じうるような外壁面材であればよく、例えばコンクリート系の外壁面材などであってもよい。また、外壁面材間の目地は、縦目地であってもよいし、横目地であってもよいし、その他の目地であってもよい。
【図面の簡単な説明】
【００１７】
【図１】実施形態の目地部構造を示すもので、図（イ）は断面平面図、図（ロ）は断面斜視図、図（ハ）はガスケットを省略した断面斜視図である。
【図２】従来の目地部構造を示すもので、図（イ）は断面平面図、図（ロ）は断面斜視図、図（ハ）はガスケットを省略した断面斜視図である。
【符号の説明】
【００１８】
１…外壁面材
２…目地空間部
３…端面部
４…屋外側の面部
５…斜面部
６…ガスケット
Ｂ…境界部分
【図１】
2005256507.tif 000003
【図２】
2005256507.tif 000004
(57)【要約】【課題】すっきりとした外観で防犯性にも優れた窓のハンドル開閉具を提供する。【解決手段】窓枠Ｆに取り付けられる本体ケース１にハンドル２を基端で軸支し、このハンドル２を回転させて窓Ｗを開閉する窓のハンドル開閉具において、前記ハンドル２を基端のヒンジ部３により起伏自在とし、ハンドル２を操作しないときには、ハンドル２を倒伏させて本体１の凹所５に嵌め込んでおき、窓Ｗを開閉する際には、凹所５からハンドル２を引き起こして回転させるようにする。【選択図】図１
2005256403.tif 000002
【特許請求の範囲】
【請求項１】
窓枠に取り付けられる本体ケースにハンドルを基端で軸支し、このハンドルを回転させて窓を開閉する窓のハンドル開閉具において、前記ハンドルを基端のヒンジ部により起伏自在とし、ハンドルを操作しないときには、ハンドルを本体ケースの凹所に嵌め込んでおき、窓を開閉する際には、凹所からハンドルを引き起こして回転させるようにしたことを特徴とする窓のハンドル開閉具。
【発明の詳細な説明】
【技術分野】
【０００１】
この発明は、ハンドルを回転させて窓を開閉する開閉具に関するものである。
【背景技術】
【０００２】
従来より、窓の開閉具として、窓枠の室内側に取り付けられる本体ケースにハンドルを基端で軸支し、このハンドルを回転させて窓に連結したアームを揺動させ、窓を開閉するものが使用されている。この開閉具のハンドルは、操作しないときにも、本体ケースから突出したままとなっている。
【発明の開示】
【発明が解決しようとする課題】
【０００３】
しかしながら、上記のように、ハンドルが本体ケースから常時突出したままとなっていると、視覚的にも空間的にも煩わしく感じられることがあるほか、屋外側から窓に与えられた振動により、ハンドルが回転して窓が開き、住戸内に侵入される恐れもあった。
【０００４】
そこで、この発明は、すっきりとした外観で防犯性にも優れた窓のハンドル開閉具を提供することを課題とする。
【課題を解決するための手段】
【０００５】
上記課題を解決するため、この発明は、窓枠に取り付けられる本体ケースにハンドルを基端で軸支し、このハンドルを回転させて窓を開閉する窓のハンドル開閉具において、前記ハンドルを基端のヒンジ部により起伏自在とし、ハンドルを操作しないときには、ハンドルを本体ケースの凹所に嵌め込んでおき、窓を開閉する際には、凹所からハンドルを引き起こして回転させるようにしたのである。
【発明の効果】
【０００６】
上記のような開閉具では、ハンドルを操作しないとき、本体ケースの凹所に嵌め込んで収納しているので、室内側にハンドルが突出せず、視覚的にも空間的にもすっきりとした印象となり、振動でハンドルが回ることもないので、防犯性も向上する。
【発明を実施するための最良の形態】
【０００７】
以下、この発明の実施形態を添付図面に基づいて説明する。
【０００８】
図１並びに図４、図５に示すように、この開閉具は、窓枠Ｆの室内側に取り付けられる本体ケース１にハンドル２を基端で軸支し、このハンドル２を回転させて窓Ｗを開閉させるものである。
【０００９】
ハンドル２は、図２及び図３に示すように、基端のヒンジ部３を介してウォーム４の軸に起伏自在に連結され、倒伏した状態において、図１及び図２に示すように、本体ケース１の凹所５に嵌合し、本体ケース１と表面が揃うように収納される。
【００１０】
このとき、ハンドル２の先端部に設けられた摘み部６は、凹所５の底面に形成された穴７に挿入される。また、ハンドル２の先端側が嵌め込まれる凹所５の一端部は、指を入れてハンドル２を起こせるように、やや大きく切り込まれている。
【００１１】
上記のような開閉具を適用した窓Ｗを開ける際には、図４に示すように、ハンドル２を凹所５から引き起こし、摘み部６を摘んで所定の方向に回転させる。
【００１２】
この操作により、ウォーム４が回転して、これに噛合する歯車部８が回動し、この歯車部８から延びるアーム９が迫り出すように揺動して、図５に示すように、窓Ｗが開く。
【００１３】
上記のような開閉具では、ハンドル２を操作しないとき、図１に示すように、本体ケース１の凹所５に嵌め込んで収納しておくと、室内側にハンドル２が突出せず、視覚的にも空間的にもすっきりとした印象となる。
【００１４】
また、この状態では、窓Ｗを屋外側から振動させても、凹所５に嵌合したハンドル２が回らないので、窓Ｗが開くこともなく、防犯性も向上する。
【００１５】
なお、上記実施形態では、開き窓に開閉具を適用した例を示したが、この開閉具は、滑り出し窓や平行移動窓、ルーバー窓などに使用することもできる。
【図面の簡単な説明】
【００１６】
【図１】この発明に係る開閉具のハンドルを収納した状態を示す斜視図
【図２】同上のハンドルの起伏動作を示す拡大断面図
【図３】同上の開閉具のハンドルを引き起こした状態を示す斜視図
【図４】同上の開閉具を備えた開き窓の閉止状態を示す概略平面図
【図５】同上の開き窓の開放状態を示す概略平面図
【符号の説明】
【００１７】
１  本体ケース
２  ハンドル
３  ヒンジ部
４  ウォーム
５  凹所
６  摘み部
７  穴
８  歯車部
９  アーム
Ｆ  窓枠
Ｗ  窓
【図１】
2005256403.tif 000003
【図２】
2005256403.tif 000004
【図３】
2005256403.tif 000005
【図４】
2005256403.tif 000006
【図５】
2005256403.tif 000007
(57)【要約】【課題】  地震等による段石のズレを防止する石階段の施工方法を開発・提供することにある。【解決手段】  池等の周囲に構築する石階段の施工方法であって、その一例として１５段の階段を設けるに当たり、防水シート１を敷設し、該防水シートの上に、基礎砕石２を所定の厚みに設け、該基礎砕石の上部に、任意の角度に傾斜した胴込みコンクリート層３を形成し、該層上に、上面が平坦で、下面の一部が前記胴込みコンクリート層の傾斜面Ｘに適合する傾斜面Ｘａを形成し、かつ、上面後辺と下面前辺とにそれぞれ係合用の切り欠きをそれぞれ有する段石４を形成し、該段石の上面後辺の切り欠き４ａが、上隣の段石４′と係合し、段石の下面前辺の切り欠き４ｂが下隣の段石４″と係合するよう構築すること。【選択図】        図２
2005256446.tif 000002
【特許請求の範囲】
【請求項１】
池等の周囲に構築する石階段の施工方法であって、防水シートを敷設し、該防水シートの上に、基礎砕石を所定の厚みに設け、該基礎砕石の上部に、任意の角度に傾斜した胴込みコンクリート層を形成し、該層上に、上面が平坦で、下面の一部が前記胴込みコンクリート層の傾斜面に適合する傾斜面を形成し、かつ、上面後辺と下面前辺とにそれぞれ係合用の切り欠きをそれぞれ有する段石を形成し、該段石の上面後辺の切り欠きが、上隣の段石と係合し、段石の下前前辺の切り欠きが下隣の段石と係合するよう構築することを特徴とする石階段の施工方法。
【発明の詳細な説明】
【技術分野】
【０００１】
この発明は、石階段の施工方法に関するものである。
【背景技術】
【０００２】
従来、河川、海岸、池の周囲に護岸用等の石階段を設ける場合、図５に示すように、階段の最下部に基礎工（Ａ）を設け、該基礎工より斜め上方に向けて、基礎砕石（Ｂ）を敷設し、該基礎砕石に、上部に、複数段の階段部を形成したコンクリート部（Ｃ）を敷設し、該階段部にそれぞれ、段石（Ｄ）をモルタル（Ｅ）を介して、順次、張り付けて施工していた。
【０００３】
しかしながら、これら、従来のこの施工方法では、段石が地震等の急激な振動が発生した場合、前側に段石（Ｄ）に押さえがなく、前面方向に向けてズレが出る場合があり、河川や湖沼等の決壊の原因となり、極めて危険であった。さらに、階段部を形成したコンクリート部（Ｃ）の各棚部（Ｆ）は、二段目以上の各段石（Ｄ）と水平に形成してあり、段石（Ｄ）の水平方向、特に、前方への移動に対して阻止する構造とはなっていない。
【０００４】
また、自然石を用いた護岸用連結ブロックあるいは護床用根固ブロックの形成方法は開示されているが、自然石に連結用ワイヤーの挿通する穴を形成して各自然石を固定する方法であり、その作業は極めて煩雑なものであった。
【特許文献１】特開平６−１０８４３７号公報
【発明の開示】
【発明が解決しようとする課題】
【０００５】
そこで、この発明は、地震等による段石のズレを防止する石階段の施工方法を開発・提供することにある。
【課題を解決するための手段】
【０００６】
この発明は、胴込みコンクリート部の上面を任意の角度傾斜して設け、その傾斜した段石に段石を載置することにより、また、段石の上面後面と下面の前面にそれぞれ切り欠きを形成する体で形成したことを特徴とする石階段の施工方法である。
【発明の効果】
【０００７】
この発明によると、段石は、傾斜した胴込みコンクリートに順次、敷設されており、段石は下方に自重により固定され、しかも、段石の上面・下面の端面に切り欠きを形成しており、これらの切り欠きが、上・下の段石とそれぞれ係止されるため、地震等の際にも、ズレることがなく極めて有益なる効果を奏するものである。
【発明を実施するための最良の形態】
【０００８】
この発明の最良の形態は、傾斜した胴込みコンクリート層に、該傾斜した段石を前後の段石に係止して積み重ねることにより、崩れることのない堅牢な石階段の施工方法を構成するものである。
【実施例】
【０００９】
次にこの発明の一実施例を図１〜図４に従って説明すると、池等の周囲に構築する石階段の施工方法であって、その一例として１５段の階段を設けるに当たり、防水シート（１）を敷設し、該防水シート（１）の上に、基礎砕石（２）を所定の厚みに設け、該基礎砕石（２）の上部に、任意の角度に傾斜した胴込みコンクリート層（３）を形成し、該層（３）上に、上面が平坦で、下面の一部が前記胴込みコンクリート層（３）の傾斜面（Ｘ）に適合する傾斜面（Ｘａ）を形成し、かつ、上面後辺と下面前辺とにそれぞれ係合用の切り欠きをそれぞれ有する段石（４）を形成し、該段石（４）の上面後辺の切り欠き（４ａ）が、上隣の段石（４′）と係合し、段石（４）の下面前辺の切り欠き（４ｂ）が下隣の段石（４″）と係合するよう構築することを特徴とする石階段の施工方法から構成される。
【００１０】
尚、（５）は、鉄筋であり、また、段石（４）の上面と前面との角部は、面取りしてもよく、また、段石（４）の上面と両側面との角部も３０〜４０ｍｍの半径で、面取りを施してもよいものである。
【産業上の利用可能性】
【００１１】
この発明は、石階段の施工方法の技術を確立することにより、石切りの用途にも適用できることにより産業上の利用可能性を有する。
【図面の簡単な説明】
【００１２】
【図１】この発明の一実施例を示す断面図である。
【図２】この発明の一実施例を示す一部欠截拡大断面図である。
【図３】この発明の一実施例を示す正面図である。
【図４】この発明の一実施例を示す平面図である。
【図５】従来例を示す一部拡大図を有する断面図である。
【符号の説明】
【００１３】
１  防水シート
２  基礎砕石
３  任意の角度に傾斜した胴込みコンクリート層
４  段石
４′  上隣の段石
４″  下隣の段石
４ａ  上面後辺の切り欠き
４ｂ  下面前辺の切り欠き
Ｘ  傾斜面
Ｘ′傾斜面
【図１】
2005256446.tif 000003
【図２】
2005256446.tif 000004
【図３】
2005256446.tif 000005
【図４】
2005256446.tif 000006
【図５】
2005256446.tif 000007